(57)【要約】【課題】テレビレンズをレンズサポーターに確実かつ容易に取付けることを可能にしたレンズ取付装置を提供すること。【解決手段】テレビレンズをカメラあるいはサポーターに取付けるレンズ取付装置において、カメラまたはサポーターに設けられた支点を中心に回動し、テレビレンズ底部を支持し、テレビレンズの係合位置を正常な取付位置に位置決めするガイド部材と、テレビレンズとガイド部材の自重を支持する押圧部材と、テレビレンズを装着した際、自動的にテレビレンズを固定する固定手段を有することを特徴とするレンズ取付装置。【選択図】  図１
2014016509.tif 000002
【特許請求の範囲】
【請求項１】
テレビレンズをカメラあるいはサポーターに取付けるレンズ取付装置において、カメラまたはサポーターに設けられた支点を中心に回動し、テレビレンズ底部を支持し、テレビレンズの係合位置を正常な取付位置に位置決めするガイド部材と、テレビレンズとガイド部材の自重を支持する押圧部材と、テレビレンズを装着した際、自動的にテレビレンズを固定する固定手段を有することを特徴とするレンズ取付装置。
【請求項２】
前記ガイド部材はテレビレンズ幅方向の位置決めのためのテーパ面を有することを特徴とする請求項１に記載のレンズ取付装置。
【請求項３】
前記固定手段は回動し、テレビレンズの突出部の係止を解除することを特徴とする請求項１又は請求項２に記載のレンズ取付装置。
【発明の詳細な説明】
【技術分野】
【０００１】
本発明は、特にレンズサポーターに、テレビレンズを取付けるためのレンズ取付装置に関するものである。
【背景技術】
【０００２】
テレビレンズをレンズサポーターに取付けるには、テレビレンズのレンズマウントから突設された位置決めピンをレンズサポーターに形成された溝に入れると共に、レンズサポーターに形成された係合部材とテレビレンズの係合部材を係合させる。そして、レンズサポーターのレンズ取付面へテレビレンズを降ろす。この操作によって、テレビレンズはレンズサポーターに取付けられる。
【０００３】
例えば、特許文献１では、テレビレンズの幅方向位置を規制し、取付位置へガイドするガイド部材を持つレンズ取付装置が開示されている。
【先行技術文献】
【特許文献】
【０００４】
【特許文献１】特開平７−２２５４２４号公報
【発明の概要】
【発明が解決しようとする課題】
【０００５】
しかしながら、上述の特許文献に開示された従来技術では、テレビレンズの幅方向の位置のみを規制するが、テレビレンズの取付位置を規制しない。また、テレビレンズが高倍率になり質量が重くなる中で、テレビレンズを持ち上げた状態で、取付位置を探すことは容易ではない。さらに、係合部材や位置決めピンも肉眼視できないため、テレビレンズの取付けに手間がかかる。
【０００６】
そこで、本発明の目的は、上記問題を解消し、テレビレンズをレンズサポーターに確実かつ容易に取付けることを可能にしたレンズ取付装置を提供することである。
【課題を解決するための手段】
【０００７】
上記目的を達成するために、本発明は、テレビレンズをカメラあるいはサポーターに取付けるレンズ取付装置において、カメラまたはサポーターに設けられた支点を中心に回動し、テレビレンズ底部を支持し、テレビレンズの係合位置を正常な取付位置に位置決めするガイド部材と、テレビレンズとガイド部材の重量を支持する押圧部材と、テレビレンズを装着した際、テレビレンズを固定する固定手段を有することを特徴とする。
【発明の効果】
【０００８】
本発明によれば、押圧部材によりテレビレンズ重量を手で支える負荷を軽減できる。さらに、ガイド部材にテレビレンズを置くことで、テレビレンズの係合位置を正常な取付位置へ移動させることができる。よって、テレビレンズを確実かつ容易に取付けることが可能なレンズ取付装置を提供することができる。
【図面の簡単な説明】
【０００９】
【図１】実施例１のレンズ取付装置の全体図を示す。
【図２】レンズサポーター２のレンズ取付面の斜視図を示す。
【図３】テレビレンズ１のレンズマウント面の斜視図を示す。
【図４】実施例１のガイド部材を示す図である。（a）は図中のA-A断面図、（b）は図中のB-B断面図を示す。
【図５】実施例１の押圧部材２０を示す断面図である。（a）は押圧部材２０に押圧力が加わった状態を示す。
【図６】実施例１の固定部材３０を示す図である。（a）は固定部材３０に押圧力が加わった場合の断面図、（b）は図中のC-C断面図、（c）は図中のD-D断面図を示す。
【図７（ａ）】レンズ取付方法を示す図である（その１）。
【図７（ｂ）】レンズ取付方法を示す図である（その２）。
【図７（ｃ）】レンズ取付方法を示す図である（その３）。
【図７（ｄ）】レンズ取付方法を示す図である（その４）。
【図８】固定部材５０の説明図である。
【図９】レンズ取付装置にテレビレンズ１を取付けた状態を示す図である。
【発明を実施するための形態】
【００１０】
以下に、本発明の好ましい実施の形態を、添付の図面に基づいて詳細に説明する。図１から図８は、本発明の実施形態にかかわるレンズ取付装置である。
【実施例１】
【００１１】
以下、本発明の第1の実施例による、レンズ取付装置について説明する。
【００１２】
図１は、本発明に係るレンズ取付装置の全体図を示す。図２はレンズサポーター２のレンズ取付面の斜視図を示す。図３はテレビレンズ１のレンズマウント面の斜視図を示す。図４はガイド部材１０を示し、図４（a）はA-A断面図を示し、図４（b）はB-B断面図を示す。図５は押圧部材２０の断面図を示し、図５（a）は押圧部材２０に押圧が加わった場合の断面図を示す。図６は固定部材３０の断面図を示し、図６（a）は固定部材３０に押圧が加わった場合の断面図を示し、図６（b）はC-C断面図を示し、図６（c）はD-D断面図を示す。図７（a）から図７（d）はレンズ取付装置にテレビレンズ１を取付ける一連の取付け状態を示す。
【００１３】
図１に示すレンズ取付装置において、レンズサポーター２を挟んで図中右側にはテレビカメラ３が固定される。回転軸７は、レンズサポーター２の側面に設けられる。ガイド部材１０はレンズサポータ−２に回転軸７を中心に回動可能に取付けられる。押圧部材２０はレンズサポーター２の面２aに設けられ、ガイド部材１０をレンズ取付面２bに対して斜面となる位置にガイド部材１０の底面を矢印８方向へ押圧する。固定部材３０は、テレビレンズ１がレンズサポーター２に取付けられた時に、レンズサポーター２のレンズ取付面２b上で、且つ、レンズフランジ１bを臨む位置に設けられる。回転防止部材９はレンズサポーター２の上面２cに設けられている。
【００１４】
図２に示す、レンズサポーター２の斜視図において、光軸の鉛直上方に略U字形状の溝５aを有する係合部材５はレンズサポーター２のレンズ取付面２bに突出して形成されている。係合部材５の上部にはレンズ取付面２bに対し略４５度の斜面のテーパ部が形成されている。
【００１５】
図３に示すテレビレンズ１のレンズマウント１aの斜視図において、レンズマウント１aの凹部には係合部材４と位置決めピン６が突設され、レンズサポーター側の係合部材５と溝５aに高精度に係合する。
【００１６】
図４に示すガイド部材１０において、ガイド部材１０の上面中央に、レンズフランジ１bの幅と等しい寸法で溝１１が形成されている。また、テレビレンズ１の幅方向位置を規制するためのテーパ面１２が、ガイド部材１０の溝１１の両側にガイド部材１０の上面に対して斜面上に形成されている。さらに、テレビレンズ１がガイド部材１０の上を摺動し易くするためのローラー１３が、ガイド部材１０のレンズ接触面１４に設けられている。
【００１７】
図５に示す押圧部材２０は、バネ２１の押圧力により間隔２２の範囲を矢印２３方向へ摺動し、テレビレンズ１とガイド部材１０の自重を支持する。ホルダー２４にはフランジ２４aが形成されている。ホルダー２５にはフランジ２５aと螺子部２５bが形成されている。台座２６には螺子部２６aと螺子部２６bが形成されている。ホルダー２５の螺子部２５bと台座２６の螺子部２６aは螺合し、台座２６の螺子部２６bとサポーター２が螺合する。キャップ２７はホルダー２４の上部に設けられる。以上の構成において、間隔２２は、ホルダー２４、２５のフランジ２４a、２５aが当接する位置を一端とし、ホルダー２５と台座２６が当接する位置を他端とする範囲となる。
【００１８】
図６に示す固定部材３０において、ロック板３１はロック板上部にテーパ面３１aと、ロック板中央部に長穴３１bと、レンズ取付面側に凹溝３１cが形成されている。ロック板ホルダー３２はロック板３１の幅と等しい幅の凹部が形成され、押え環３３によりレンズサポーター２へ取付けられる。軸３４はレンズサポーター２に設けられ、ロック板ホルダー３２の内部と、ロック板３１の長穴３１bを通過する。ロック板フランジ３５はロック板３１の下部に設けられる。凸部３６はロック板３１の凹溝３１cを臨む位置に突出するように、ロック板ホルダー３２に突設される。バネ３７は凹溝３１cに設けられ、ロック板３１を上方へ向けて押圧する。ツマミ３８は軸３４を中心に回動するように、軸３４の先端に設けられる。以上の構成の固定部材３０において、ロック板３１はロック板ホルダー３２に移動方向を規制され、矢印３９方向に摺動可能に装着されている。
【００１９】
以上のように構成されたレンズ取付装置において、図１から図７を用いて、テレビレンズ１をレンズ取付装置に固定する手順について説明する。
【００２０】
先ず、テレビレンズ１をガイド部材１０の上に乗せる。次に、レンズフランジ部１bをガイド部材１０のテーパ形状１２と接触させ、テレビレンズ１の幅方向位置を規制し、レンズフランジ１bがガイド部材１０の溝１１を臨む位置にする。次に、図７（a）に示すように、レンズマウント１aがレンズサポーター２と当接する位置までテレビレンズ１を矢印４１方向へ摺動させる。次に、図７（b）に示すように、テレビレンズ１を矢印４２方向へ押圧する。この操作により、係合部材４、５が接し、テレビレンズ１は係合部材４、５の接触面を支点として回転し、ガイド部材１０は回転軸７を中心に回転する。そして、図７（c）に示すように、レンズフランジ１bがロック板３１の上部のテーパ形状３１aと当接し、ロック板３１を矢印４３方向へ押圧する。図７（b）に示す状態から、テレビレンズ１を矢印４２方向へ押圧することで、レンズマウント１aはレンズサポーター２のレンズ取付け面２bと接する。この操作により、テレビレンズ１は図７（d）に示す状態となり、テレビレンズ１の取付けが終了する。
【００２１】
この状態となると、固定部材３０によりテレビレンズ１は仮固定され、固定忘れによるテレビレンズ落下防止策の一つとなる。さらに、上述の操作が完了した後、固定部材３０のツマミ３８を回転させ、ロック板３１とロック板ホルダー３２を介してレンズフランジ１bをレンズサポーター２へ押圧し、テレビレンズ１をレンズサポーター２に固定する。この操作により、テレビレンズ１をレンズサポーター２に固定することが出来る。
【００２２】
次に、テレビレンズ１をレンズサポーター２から取り外す手順について説明する。
【００２３】
先ず、ツマミ３８を回転させ、ロック板３１への押圧を弱める。次にロック板フランジ３５を矢印４４方向へ引っ張り、ロック板３１がレンズフランジ１bを係止する状態から開放する。この操作により、テレビレンズ１はガイド部材１０と共に、押圧部材２０により矢印４５方向へ押圧され、テレビレンズ１は図７（a）で示す状態となり、レンズサポーター２から取り外すことが可能となる。
【実施例２】
【００２４】
以下、本発明の第２の実施例による、レンズ取付装置について説明する。
【００２５】
図８は固定部材５０の断面図、図８（a）は固定部材５０に押圧力が加わった場合の断面図、図８（b）はE-E断面図、図８（c）は固定部材５０を回転させた場合の断面図、図８（d）はF-F断面図、図８（e）はG-G断面図を示す。図９はレンズ取付装置にテレビレンズ１を取付けた状態を示し、図９（a）はテレビレンズ１をレンズ取付装置から取り外し可能な状態を示す。
【００２６】
ロック板ホルダー５１はロック板３１の幅と等しい幅の凹部が形成されている。レバー５２はロック板ホルダー５１に突設されている。台座５３はレンズサポーター２のレンズ取付面２bと、ロック板ホルダー５１の間に挟持されている。位置決めピン５４はロック板ホルダーの溝５１aへ臨む位置に台座５３に突設されている。ピン５５はレンズサポーター２へ向けて、ロック板ホルダー５１に突設されている。ピン５６はロック板ホルダー５１へ向けて、レンズ取付面２bに突設されている。バネ５７はピン５５、５６の間で、台座５３の外周に沿う位置に設けられる。他の符号は実施例１と同様につき説明を割愛する。
【００２７】
以上の構成において、ロック板３１はロック板ホルダー５１に摺動方向を規制され、矢印５８方向へ摺動する。また、ロック板３１とロック板ホルダー５１は軸３４を中心に矢印５９方向へ回動する。
【００２８】
図９に示す本実施例において、実施例１と異なる箇所は固定部材３０ではなく、固定部材５０を構成していることであり、その他の部材は実施例１に記載の構成と同等である。以上のように構成されたテレビレンズ１をレンズ取付装置に固定する手順は、実施例１に記載した方法と同等である。
【００２９】
次に、テレビレンズ１をレンズサポーター２から取り外す手順について説明する。
【００３０】
先ず、ツマミ３８を回転させ、ロック板３１への押圧を弱める。次にレバー５２を軸３４を中心に矢印５９方向へ回転させ、ロック板３１がレンズフランジ１bを係止する状態から開放する。この操作により、テレビレンズ１は押圧部材２０により、ガイド部材１０と共に矢印４５方向へ押圧され、テレビレンズ１は図９（a）で示す状態となり、レンズサポーター２から取り外すことが可能となる。
【００３１】
以上、本実施例の好ましい実施形態として、レンズサポーターを用いて説明したが、本発明はレンズサポーターに限定されず、レンズ取付面に係合部材を有するテレビカメラ等、その要旨の範囲内で種々の変形及び変更が可能である。
【符号の説明】
【００３２】
２：レンズサポーター
２b：レンズ取付面
５：係合部材
７：回転軸
１０：ガイド部材
２０：押圧部材
３０：固定部材
【図１】
2014016509.tif 000003
【図２】
2014016509.tif 000004
【図３】
2014016509.tif 000005
【図４】
2014016509.tif 000006
【図５】
2014016509.tif 000007
【図６】
2014016509.tif 000008
【図７（ａ）】
2014016509.tif 000009
【図７（ｂ）】
2014016509.tif 000010
【図７（ｃ）】
2014016509.tif 000011
【図７（ｄ）】
2014016509.tif 000012
【図８】
2014016509.tif 000013
【図９】
2014016509.tif 000014